(57)【要約】  【課題】女性の排血口はもとより会陰部に対しても吸収体を密着させるようにし、身体への密着性を向上させた吸収性物品を提供する。  【解決手段】ナプキン１の幅方向中央部に使用面側に高い吸収体の中高部６を有するとともに、この中高部６の両側に夫々、ほぼナプキン１の長手方向に延長されるエンボス８が形成され、かつ前記左右一対のエンボス８は、エンボス離間幅の拡大領域を形成するように夫々のエンボスラインがナプキン１の中心側に曲率中心を有する曲線によって形成される第１の膨出形状エンボス８ｃと、この第１の膨出形状エンボス８ｃの後部側に連続して、ナプキン１の外方側に曲率中心を有する曲線によって形成される中間弧状エンボス８ｄを介して、それぞれのエンボスラインがナプキン１の中心側に曲率中心を有する曲線によって形成される第２の膨出形状エンボス８ｅとを有する。【選択図】図４
2006149798.tif 000002
【特許請求の範囲】
【請求項１】
透液性トップシートとバックシートとの間に吸収体が介在された吸収性物品において、
前記吸収性物品の幅方向中央部に使用面側に高い吸収体の中高部を有するとともに、この中高部の両側にそれぞれ、ほぼ吸収性物品の長手方向に延長されるエンボスが形成され、かつ前記左右一対のエンボスは、エンボス離間幅の拡大領域を形成するように夫々のエンボスラインが吸収性物品の中心側に曲率中心を有する曲線によって形成される第１の膨出形状エンボスと、この第１の膨出形状エンボスの後部側に連続して、吸収性物品の外方側に曲率中心を有する曲線によって形成される中間弧状エンボスを介して、それぞれのエンボスラインが吸収性物品の中心側に曲率中心を有する曲線によって形成される第２の膨出形状エンボスとを有することを特徴とする吸収性物品。
【請求項２】
前記第１の膨出形状エンボスの前部側に連続して、エンボス離間幅の縮小領域を形成するように夫々のエンボスラインが吸収性物品の外方側に曲率中心を有する曲線によって形成される縮小形状エンボスを有する請求項１記載の吸収性物品。
【請求項３】
前記第２の膨出形状エンボスの後部側に連続して吸収性物品のほぼ長手方向に沿う後部側エンボスが形成されるとともに、この後部側エンボスの後部側寄り中間位置にエンボス離間幅の拡大領域を形成するように、それぞれのエンボスが吸収性物品の中心側に曲率中心を有する曲線によって形成される第３の膨出形状エンボスを有する請求項１〜２いずれかに記載の吸収性物品。
【請求項４】
前記中間弧状エンボスに対応する吸収性物品の幅方向中央部に、吸収性物品の略幅方向に沿う補助エンボスを形成してある請求項１〜３いずれかに記載の吸収性物品。
【請求項５】
前記後部側エンボスの外側にそれぞれ、該後部側エンボスに間を空けて、吸収性物品の長手方向に延長される第２の後部側エンボスを有する請求項３，４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、身体への密着性を向上させ後漏れを無くした吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液漏れを防止するための手段が種々講じられている。これら体液漏れ防止手段の一つとして、吸収体の中高部とともに、熱エンボスによって凹状溝を形成する技術が存在する。たとえば、下記特許文献１では、均一に積繊した吸収体を中高形状を象ったフィットエンボスでパルプを圧搾変形し中高部を形成するとともに、中高部の周囲に防漏溝を設けることによって体液の拡散（漏れ）を防止する技術が提案されている。
【０００４】
また、下記特許文献２では、肌当接面側に液透過層と、非肌当接面側に液不透過層と、該液透過層及び該液不透過層の間に介在された吸収部とを備え、実質的に縦長に形成されてなる吸収性物品において、上記吸収部の中央部に、肌当接面側へ隆起した上記吸収性物品の長手方向に延びる隆起部を備え、該隆起部に対応する上記吸収部の非肌当接面側には、上記吸収性物品の長手方向に延びる１又は複数条の溝を備えた吸収性物品が開示されている。
【０００５】
さらに下記特許文献３では、使用面側から体液を受け入れて内部に保持する吸収要素と、この裏面がわにあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌がわに起立するギャザーカフスとを備え、前記吸収要素は、排血口部位を跨いで長手方向に沿い、かつ幅方向中央部に使用面がわに高い中高部を有し、前記ギャザーカフスはその収縮力が少なくとも排血口部位を跨ぐ範囲に相当する長さ範囲に作用するように構成され、前記吸収要素の前記中高部の両側に、少なくとも排血口部位を跨ぐ長さ範囲にわたってエンボスが形成され、これらのエンボスは、排血口部位において前後より幅方向外方に膨出する形状をなしている生理用ナプキンが提案されている。
【特許文献１】特開平11-33054号公報
【特許文献２】特開平10-328232号公報
【特許文献３】特開2001-95842号公報
【発明の開示】
【発明が解決しようとする課題】
【０００６】
前述した特許文献１〜３記載の発明は共に、排血部位の身体形状に合わせて吸収体をフィットさせることにより経血等の漏れを無くすものであるが、各吸収体の隆起形状は単一の弧状曲線からなる単純な隆起形状とされる。
【０００７】
しかしながら、実際には女性の排血部位の形状は複雑で、女性の排血口付近に吸収体をほぼ密着させることができたとしても、膣口から後方側の肛門付近にかけての会陰部が小さな窪み状の立体形状を成しているため、この会陰部に対して吸収体を密着できていない。そのため、排血口付近で吸収できなかった経血等が前記会陰部でも吸収されず、後漏れの原因となることがあった。
【０００８】
そこで本発明の主たる課題は、女性の排血口はもとより会陰部に対しても吸収体を密着させ得るようにし、身体への密着性を更に向上させた吸収性物品を提供することにある。
【課題を解決するための手段】
【０００９】
前記課題を解決するための請求項１に係る本発明として、透液性トップシートとバックシートとの間に吸収体が介在された吸収性物品において、
前記吸収性物品の幅方向中央部に使用面側に高い吸収体の中高部を有するとともに、この中高部の両側にそれぞれ、ほぼ吸収性物品の長手方向に延長されるエンボスが形成され、かつ前記左右一対のエンボスは、エンボス離間幅の拡大領域を形成するように夫々のエンボスラインが吸収性物品の中心側に曲率中心を有する曲線によって形成される第１の膨出形状エンボスと、この第１の膨出形状エンボスの後部側に連続して、吸収性物品の外方側に曲率中心を有する曲線によって形成される中間弧状エンボスを介して、それぞれのエンボスラインが吸収性物品の中心側に曲率中心を有する曲線によって形成される第２の膨出形状エンボスとを有することを特徴とする吸収性物品が提供される。
【００１０】
請求項２に係る本発明として、前記第１の膨出形状エンボスの前部側に連続して、エンボス離間幅の縮小領域を形成するように夫々のエンボスラインが吸収性物品の外方側に曲率中心を有する曲線によって形成される縮小形状エンボスを有する請求項１記載の吸収性物品が提供される。
【００１１】
請求項３に係る本発明として、前記第２の膨出形状エンボスの後部側に連続して吸収性物品のほぼ長手方向に沿う後部側エンボスが形成されるとともに、この後部側エンボスの後部側寄り中間位置にエンボス離間幅の拡大領域を形成するように、それぞれのエンボスが吸収性物品の中心側に曲率中心を有する曲線によって形成される第３の膨出形状エンボスを有する請求項１〜２いずれかに記載の吸収性物品が提供される。
【００１２】
請求項４に係る本発明として、前記中間弧状エンボスに対応する吸収性物品の幅方向中央部に、吸収性物品の略幅方向に沿う補助エンボスを形成してある請求項１〜３いずれかに記載の吸収性物品が提供される。
【００１３】
請求項５に係る本発明として、前記後部側エンボスの外側にそれぞれ、該後部側エンボスに間を空けて、吸収性物品の長手方向に延長される第２の後部側エンボスを有する請求項３，４いずれかに記載の吸収性物品が提供される。
【発明の効果】
【００１４】
以上詳説のとおり本発明によれば、前記第１の膨出形状エンボスの後部側に連続して、前記中間弧状エンボスを介して第２の膨出形状エンボスを形成するようにしたため、女性の排血口はもとより会陰部に対しても吸収体を密着させることができる。従って、従来の製品よりも更に身体への密着性が向上するため、後側への伝い漏れを確実に防止できるようになる。
【発明を実施するための最良の形態】
【００１５】
以下、本発明の実施の形態について図面を参照しながら詳述する。
【００１６】
〔生理用ナプキン１の基本構造〕
図１は本発明の第１形態例に係る生理用ナプキン１の展開図であり、図２は図１のII−II線矢視図、図３は図１のIII−III線矢視図である。
【００１７】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００１８】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００１９】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２０】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２１】
前記吸収体４の使用面側には、幅方向中央部にナプキン長手方向に細長く、かつ周方向に閉合しているエンボス８によって区画される領域に、使用面側に高い吸収体の中高部６が形成されている。この中高部６の厚みは、厚くし過ぎると吸収体４の剛性が上がり身体への密着性が低下するため３〜２０mm、好ましくは５〜１５mmとするのが好ましい。また、使用面側には前記エンボス８とともに、エンボス９，１０、１１がそれぞれ形成されている。これら各エンボス８〜１１については更に詳しく後述する。
【００２２】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２３】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、図９に示されるように、ショーツ３０に対する装着時に、前記ウイング状フラップＷ、Ｗが折返し線ＲＬ位置にて反対側に折り返し、ショーツのクロッチ部分に巻き付けて止着するようになっている。
【００２４】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００２５】
〔エンボス構造〕
本生理用ナプキン１においては、詳細には図４に示されるように、幅方向中央部に使用面側に高い吸収体の中高部６を有するとともに、この中高部６を囲むように、ナプキン１の長手方向に細長いエンボス８が形成されている。このエンボス８は、前部側から順に、前端部エンボス８ａ、縮小形状エンボス８ｂ、第１の膨出形状エンボス８ｃ、中間弧状エンボス８ｄ、第２の膨出形状エンボス８ｅ、後部側エンボス８ｆから構成されている。これら各エンボスは分断することなく連続的に形成され、全体として周方向に閉合している。
【００２６】
前記前端部エンボス８ａは、略半円弧状に形成されたエンボスであり、中高部６の両側に夫々形成された略長手方向に沿う各左右一対のエンボスをナプキン前端部において曲線ラインで結合するエンボスである。
【００２７】
前記縮小形状エンボス８ｂは、前記前端部エンボス８ａに連続して中高部６の両側に、ナプキン１の長手方向に延長するように形成された左右一対のエンボスラインであり、ほぼ大腿部の前側に位置するとともに、図示の如く、エンボス離間幅の縮小領域を形成するように、両側のエンボスラインがそれぞれ、ナプキン１の外方側に曲率中心を有する曲線によって形成されている。
【００２８】
前記第１の膨出形状エンボス８ｃは、前記縮小形状エンボス８ｂに連続して中高部６の両側に、ほぼナプキン１の長手方向に延長するように形成された左右一対のエンボスラインであり、ほぼ大腿部の後側に位置するとともに、エンボス離間幅の拡大領域を形成するように、両側のエンボスラインがそれぞれ、ナプキン１の中心側に曲率中心を有する曲線によって形成されている。
【００２９】
前記中間弧状エンボス８ｄは、前記第１の膨出形状エンボス８ｃに連続して中高部６の両側に、ほぼナプキン１の長手方向に延長するように形成された左右一対のエンボスラインであり、詳細には図５に示されるように、曲率中心の位置が反転する変曲点を境界として、両側のエンボスラインがそれぞれ、ナプキン１の外方側に曲率中心を有する曲線によってごく短い区間で形成されている。
【００３０】
前記第２の膨出形状エンボス８ｅは、前記中間弧状エンボス８ｄに連続して中高部６の両側に、ほぼナプキン１の長手方向に延長するように形成された左右一対のエンボスラインであり、詳細には図５に示されるように、曲率中心の位置が反転する変曲点を境界として、両側のエンボスラインがそれぞれ、ナプキン１の中心側に曲率中心を有する曲線によって形成されている。この第２の膨出形状エンボス８ｅは前記第１の膨出形状エンボス８ｃと比較すると、相対的に短い区間幅で形成されている。
【００３１】
前記後部側エンボス８ｆは、前記第２の膨出形状エンボス８ｅに連続して中高部６の両側に、ほぼナプキン１の長手方向に延長するように形成された左右一対のエンボスラインであり、図示例では僅かづつエンボスの離間幅を漸次狭めるように後部側まで延長され、後部側において円弧状の曲線エンボスによって両側のエンボスが結合されている。この後部側エンボス８ｆの後部側寄りの中間位置には、エンボス離間幅を拡大領域を形成するように、それぞれのエンボスがナプキン１の中心側に曲率中心を有する曲線によって第３の膨出形状エンボス８ｇが形成されている。
【００３２】
前記後部側エンボス８ｆの外側には、該後部側エンボス８ｆと間を空けてナプキン１の長手方向に延長される第２の後部側エンボス１０，１０が形成されている。図示例ではこの第２の後部側エンボス１０は、それぞれナプキン１の外側に曲率中心を有する弧状曲線とされている。
【００３３】
また、前記前端部エンボス８ａの前側には、間を空けて略傘形状の前端独立エンボス９が形成されているとともに、前記後部側エンボス８ｆの後側には、間を開けて略逆傘形状の後端独立エンボス１１が形成されている。
【００３４】
以上のように形成される各種エンボス８〜１１によれば、次のような効果が得られる。
【００３５】
先ず、前記第１の膨出形状エンボス８ｃ、中間弧状エンボス８ｄ及び第２の膨出形状エンボス８ｅの形成領域においては、詳細には図５に示されるように、前記各膨出形状エンボス８ｃ、８ｅの形成領域は、外側に膨出するエンボスラインによってナプキン幅方向のラインを可撓軸（折れ線）として折り曲がりづらい領域となっているが、これら膨出形状エンボス８ｃ、８ｅによって挟まれた中間弧状エンボス８ｄはエンボス曲線が反転する領域であるため、それぞれの膨出形状エンボス８ｃ、８ｅの歪みの抑制力が開放されるため、相対的にナプキン幅方向のラインＸ１−Ｘ１を可撓軸として折り曲がり易くなっている。
【００３６】
一方、ナプキン１が図８に示されるように、ショーツ３０に装着されたとすると、前記縮小形状エンボス８ｂ、第１の膨出形状エンボス８ｃの領域では、大腿部からの内側方向に向けて圧縮力を受けることになるとともに、この圧縮力は吸収体４を幅方向に圧縮すると同時に、ナプキン長手方向に沿って形成されたエンボス８によって力が伝達され、前部側及び後部側にはそれぞれ内方側に向かう作用力Ｆ１、Ｆ２が作用するようになる。さらに、ショーツ３０のクロッチ部分が身体側に引き上げられることによってナプキン１には縦方向中心線Ｙ−Ｙに沿って股間部に押し付けるような押圧力を受けることになる。
【００３７】
以上のような作用力を受けることによって、Ｚ１領域においては、排血口に相当する前記第１の膨出形状エンボス８ｃ部位に第１の隆起部Ｒ１が形成され、この隆起部Ｒ１が排血口付近に密着することにより経血等を吸収することができる。また、膣口から後方側の肛門付近のかけての会陰部に相当する前記第２の膨出形状エンボス８ｅ部位には、Ｘ１−Ｘ１可撓軸が形成される中間弧状エンボス８ｄを介して第２の隆起部Ｒ２が形成され、この隆起部Ｒ２が会陰部に密着することにより排血口付近で吸収できなかった経血等を確実に吸収し、体液の後側への伝い漏れを確実に防止できるようになる。
【００３８】
すなわち、図５(B)に示されるように、中間弧状エンボス８ｄ領域は隆起方向の歪みが開放されるとともに、前記Ｘ１−Ｘ１可撓軸のために、その前後に位置する第１の膨出形状エンボス８ｃ領域、及び第２の膨出形状エンボス８ｅ領域には２つの山が連なるように、隆起部Ｒ１、Ｒ２が形成されるようになり、前記隆起部Ｒ１が排血口付近に密着し、前記隆起部Ｒ２が会陰部付近に密着することで経血等の伝い漏れを確実に防止できるようになる。なお、前記隆起部Ｒ２は膨出形状エンボス８ｅの形成規模に比例して、前記隆起部Ｒ１よりも小さく形成される。
【００３９】
一方、前記後部側エンボス８ｆ領域においては、中高部６の両側に夫々、ナプキン１の長手方向に沿って前記後部側エンボス８ｆの他に、第２の後部側エンボス１０が形成され、これら計４条のエンボスが夫々可撓軸を形成するため、Ｘ２−Ｘ２に沿う方向の撓み性が向上し、ヒップの谷間部分に対するフィット性が増すようになる。
【００４０】
更に、前記後部側エンボス８ｆの後部側寄り位置に形成された第３の膨出形状エンボス８ｇは、変曲点位置に対応する横断線Ｘ３−Ｘ３、Ｘ４−Ｘ４それぞれの位置で折れ曲がり易くなっているとともに、各変曲点位置でナプキンの縦方向線Ｙ−Ｙ方向の歪みが分断されるため、領域Ｚ２が盛り上がるようにヒップの谷間にフィットするようになる。
【００４１】
他方、前記ナプキン１の最前端に形成された前記略傘状の前端独立エンボス９は、これが可撓軸となってナプキン１の前端部を折れ曲がり易くし、また後方側に形成された前記略逆傘形状の後端独立エンボス１１は、これが可撓軸となって左右の第２ウイング状フラップＷＢ、ＷＢを折れ曲がり易くする。
【００４２】
ところで、ナプキン１において、排血口位置は一般的にはウイングフラップＷ、Ｗ位置の対応箇所として定まるものであるが、例えば図６に示されるように、エンボス８の縮小形状エンボス８ｂ領域が前記ウイングフラップＷ、Ｗに対応させる位置になるように、各種エンボス８〜１１を相対的に下側にずらして形成してもよい。
【００４３】
（その他の形態例）
【００４４】
(1)前記第１の膨出形状エンボス８ｃ領域と、第２の膨出形状エンボス８ｅ領域との間に形成される可撓軸Ｘ１−Ｘ１位置でナプキン１を折れ曲がり易くするため、ナプキン１の略幅方向に沿う補助エンボスを付与するようにしてもよい。図７(A)は前記補助エンボスとして、幅方向中央部に巾方向に配向された弧状エンボス１４を形成した例であり、図７(B)は両側のエンボスを繋ぐように幅方向に弧状エンボス１５を形成した例である。
【００４５】
(2)上記形態例では、第２の後部側エンボス１０，１０を夫々独立的に形成したが、図７(C)に示されるように、前記第２の後部側エンボス１０，１０と後端独立エンボス１１とを連続させ、略横Ｕ字状の連続エンボス１６を形成するようにしてもよい。
【００４６】
(3)さらに、図８に示されるように、排血部位を含む領域Ｙ１、会陰部対応部位を含む領域Ｙ２及び第３の膨出形状エンボス８ｇを含む領域Ｙ３の中高部６の表面に、小さな窪み状のドッドエンボス１８．１８…を多数形成することにより、経血等の吸収性を向上させるようにするのが望ましい。同図の例では、可撓軸Ｘ１−Ｘ１の隣接位置、及び第３の膨出形状エンボス８ｇ部位のそれぞれに対して、幅方向中央部に巾方向に配向された弧状エンボス１４、１７を形成している。
【００４７】
(4)上記形態例では、エンボス８は左右一対のエンボスラインがナプキンの前端部と後端部で結合され、全体として閉合形状を成しているが、左右一対のエンボスラインを前端部及び／又は後端部で結合しない態様で形成してもよい。
【図面の簡単な説明】
【００４８】
【図１】本発明の生理用ナプキン１の展開図である。
【図２】その横断面図（図１のII−II線矢視図）である。
【図３】その横断面図（図１のIII−III線矢視図）である。
【図４】エンボス８〜１１の説明図である。
【図５】(A)はその要部拡大図であり、(B)はB-B線矢視図である。
【図６】エンボス８〜１１の位置を下側にずらした生理用ナプキン１の展開図である。
【図７】(A)〜(C)はそれぞれエンボス８の変形例を示す図である。
【図８】その他のエンボスの形成態様を示す展開図である。
【図９】ナプキンの装着状態を示す斜視図である。
【符号の説明】
【００４９】
１…生理用ナプキン、２…不透液性バックシート、３…透液性トップシート、４…吸収体、５…クレープ紙、６…中高部、７…サイド不織布、８…エンボス、８ａ…前端部エンボス、８ｂ…縮小形状エンボス、８ｃ…第１の膨出形状エンボス、８ｄ…中間弧状エンボス、８ｅ…第２の膨出形状エンボス、８ｆ…後部側エンボス、８ｇ…第３の膨出形状エンボス、９…前端独立エンボス、１０…第２の後部側エンボス、１１…後端独立エンボス、ＢＳ…立体ギャザー、Ｗ…ウイング状フラップ、ＷＢ…臀部側ウイング状フラップ
【図１】
2006149798.tif 000003
【図２】
2006149798.tif 000004
【図３】
2006149798.tif 000005
【図４】
2006149798.tif 000006
【図５】
2006149798.tif 000007
【図６】
2006149798.tif 000008
【図７】
2006149798.tif 000009
【図８】
2006149798.tif 000010
【図９】
2006149798.tif 000011